(57)【要約】【課題】不使用時の保管スペースが少なく且つユーザーが作業に付き切りにならずに済む作業性の良い漏斗、同漏斗を形成することができる組立式漏斗を提供する。また、作業性の良い液体或いは粉粒体の移し替え方法を提供する。【解決手段】漏斗１は、透明な合成樹脂で形成された漏斗本体１０と漏斗本体１０に取着された吸盤３を備える。漏斗本体１０は、対向する第１の開口部１０２と第２の開口部１４３が形成され、開口部１０２よりも開口部１４３の方が大きさが小さく且つ各開口部が互いに連通し、上端から下端まで略鉛直方向へ直線状に垂下した側壁１１０と、同側壁１１０と正対し且つ上端から略鉛直方向へ一定の長さで直線状に垂下した部分１２０と、同垂下部分１２０下端から側壁１１０方向へ下り傾斜した部分１３０と、同下り傾斜部分１３０下端から略鉛直方向へ一定の長さで直線状に垂下した部分１４０を含む。【選択図】図１
2015058934.tif 000002
【特許請求の範囲】
【請求項１】
対向する第１の開口部と第２の開口部が形成され、前記第１の開口部の大きさよりも前記第２の開口部の大きさが小さく、前記第１の開口部と前記第２の開口部が互いに連通しており、側壁が柔軟素材で形成された漏斗本体と、
該漏斗本体に取着された吸盤とを備える
漏斗。
【請求項２】
前記漏斗本体は、側壁の一部が側壁上端から下端まで略鉛直方向へ直線状に垂下している
請求項１に記載の漏斗。
【請求項３】
前記漏斗本体は、側壁の一部に、側壁上端から略鉛直方向へ一定の長さで直線状に垂下した部分と、該垂下した部分の下端から正対する他の側部方向へ下り傾斜した部分と、該下り傾斜した部分の下端から略鉛直方向へ一定の長さで直線状に垂下した部分とを含む
請求項１または請求項２に記載の漏斗。
【請求項４】
前記漏斗本体の構成材が合成樹脂である
請求項１、請求項２または請求項３に記載の漏斗。
【請求項５】
前記漏斗本体の一部または全部が透明または半透明である
請求項１、請求項２、請求項３または請求項４に記載の漏斗。
【請求項６】
前記吸盤は、吸着面の反対側に位置する外面部かつ前記吸着面の口縁近傍に、紐状体取着部が形成されており、
前記紐状体取着部に取着された紐状体を備える
請求項１、請求項２、請求項３、請求項４または請求項５に記載の漏斗。
【請求項７】
前記漏斗本体の第１の開口部近傍に紐状体の通し孔が形成されており、該通し孔を介して前記漏斗本体の吸盤が取着された側の反対側へ前記紐状体が出ている
請求項６に記載の漏斗。
【請求項８】
上下が開口し、上下の開口部分の間の空間が連通し、該空間内に収容対象物を受ける部分を有する、柔軟素材で形成された漏斗本体と、
該漏斗本体を設置する箇所への取付手段とを備える
漏斗。
【請求項９】
柔軟なシートであると共に、該シートの幅方向の略中央に位置する軸線部を挟んで線対称に形成された側方の縁部を有しており、該縁部の一部または全部に縦軸方向へ直角ないし鈍角に傾斜した部分が含まれる漏斗本体と、
該漏斗本体に取り付ける吸盤とを備える
組立式漏斗。
【請求項１０】
前記漏斗本体は、第１片と吸盤取付片部を有する第２片とが軸線部を介して連設された形状であり、
前記第１片は、
一端側が前記軸線部と直交して設けられた所要長さの第１の開口部形成辺部と、
その一端側が該第１の開口部形成辺部の他端側と略直角に交わると共に、前記軸線部に沿った方向で且つ前記第１の開口部形成辺部と反対方向へ形成された所要長さの側壁形成辺部と、
その一端側が該側壁形成辺部の他端側と交わり且つ交わる箇所の内角が直角ないし鈍角であると共に、前記軸線部の方向へ延びている所要長さの受け部形成辺部と、
その一端側が該受け部形成辺部の他端側と交わると共に、前記軸線部に沿った方向で且つ前記第１の開口部形成辺部と反対方向へ形成された所要長さの注ぎ口形成辺部と、
その一端側が該注ぎ口形成辺部の他端側と交わり且つ他端側が軸線部と交わる第２の開口部形成辺部とを有しており、
前記第２片は、
前記軸線部を挟んで前記第１片の側壁形成辺部と略線対称の位置に設けられた対称側壁形成辺部と、
前記軸線部を挟んで前記第１片の受け部形成辺部と略線対称の位置に設けられた対称受け部形成辺部と、
前記軸線部を挟んで前記第１片の注ぎ口形成辺部と略線対称の位置に設けられた対称注ぎ口形成辺部と、
前記軸線部を挟んで前記第１片の第２の開口部形成辺部と略線対称の位置に設けられた対称第２の開口部形成辺部とを有していると共に、前記吸盤取付片部が、前記第２片における前記第１片に係る開口部形成辺部の延長線を挟んで前記側壁形成辺部と反対側の位置に連設された
請求項９に記載の組立式漏斗。
【請求項１１】
柔軟素材で形成され、上下が開口し、内部に収める容器の受け部を有する漏斗を、縦方向の面に吊り下げる工程と、
下方に配置した容器の開口部へ、前記吊り下げた漏斗の下部を挿入する工程と、
液体あるいは粉粒体が収められた容器を、該容器の開口部を下に向けて貼着した前記漏斗内へ収める工程とを備える
液体あるいは粉粒体の移し替え方法。
【請求項１２】
前記漏斗が吸盤を備える
請求項１１に記載の液体あるいは粉粒体の移し替え方法。
【発明の詳細な説明】
【技術分野】
【０００１】
本発明は、漏斗、組立式漏斗、および、液体あるいは粉粒体の移し替え方法に関する。
更に詳しくは、不使用時の保管スペースが少なくて済み、ユーザーが作業に付き切りにならずに済む、作業性の良い漏斗、組立式漏斗、および、作業性の良い液体あるいは粉粒体の移し替え方法、に関する。
【背景技術】
【０００２】
従来から、液体あるいは粉粒体の移し替え作業には漏斗が利用されており、例えば、ヘアーシャンプー、ヘアーコンディショナー等の使用済みボトル等に、別売りされる詰め替え用容器からシャンプー等の内容物を移し替える作業にも漏斗が好適に使用される。
このような作業において、より作業性を向上させる漏斗として、下記特許文献１に記載されたものが提案されている。
【０００３】
なお、先に述べたヘアーシャンプー、ヘアーコンディショナー等の使用済みボトル等については以下「詰め替え先容器」と称することがあり、別売りされる詰め替え用容器については以下「詰め替え元容器」あるいは「収容対象物」と称する場合がある。また、特に明記しない限り、詰め替え元容器あるいは収容対象物には軟質又は硬質なもののいずれをも含む。更に、ヘアーシャンプー、ヘアーコンディショナー等のような詰め替え元容器あるいは収容対象物に収まったものについては以下「内容物」と称する場合がある。
【０００４】
特許文献１記載の漏斗は、本体の上縁付近に吸盤を取り付けたものであって、該吸盤の取付け方向が漏斗の上部開口が形成する面とほぼ直交する面への吸着が可能であることを特徴とし、詰め替え先容器である空の硬質容器に、詰め替え元容器である軟弱な詰替用袋の内容物を一人で容易に充填することのできるものである。
【先行技術文献】
【特許文献】
【０００５】
【特許文献１】実用新案登録第３１０４３２６号公報
【発明の概要】
【発明が解決しようとする課題】
【０００６】
しかし、特許文献１記載の漏斗は、同文献の図６に示すように、漏斗内に詰め替え元容器の内容物を注ぎ、注いだ内容物の全部あるいは一定量が、詰め替え先容器内へ移動するまで注ぎ足しを待たなければならず、詰め替え先容器が満杯になるか又は詰め替え元容器が空になるまで、ユーザーがその場を離れることができないので、面倒である。一方で、漏斗の容量を増やせば前記問題は解決するが、漏斗の形成素材が硬質であれば、不使用時に場所を取って邪魔である。
【０００７】
本発明は以上の点に鑑みて創案されたものであって、不使用時の保管スペースが少なくて済み、ユーザーが作業に付き切りにならずに済む、作業性の良い漏斗を提供することを目的とするものである。また、前記漏斗を形成することができる組立式漏斗を提供することを目的とするものである。更に、本発明は、作業性の良い液体あるいは粉粒体の移し替え方法を提供することを目的とするものである。
【課題を解決するための手段】
【０００８】
本発明は、対向する第１の開口部と第２の開口部が形成され、前記第１の開口部の大きさよりも前記第２の開口部の大きさが小さく、前記第１の開口部と前記第２の開口部が互いに連通しており、側壁が柔軟素材で形成された漏斗本体と、該漏斗本体に取着された吸盤とを備える漏斗である。
【０００９】
ここで、漏斗本体は、第１の開口部と第２の開口部及びその間の空間が連通していることによって、第１の開口部から収容対象物を受け入れることができ、第２の開口部から漏斗本体内にある内容物を漏斗本体外へ出すことができる。
【００１０】
また、漏斗本体は、第１の開口部の大きさよりも第２の開口部の大きさが小さく形成されている（即ち、漏斗本体の側壁が第１の開口部側から第２の開口部に向かって狭まっている）ことによって、収容対象物を当該狭まった部分の側壁を用いて受ける形で保持することができる。
【００１１】
また、漏斗本体が柔軟素材で形成されていることによって、収容対象物の形状や大きさが漏斗本体と極端に相違しなければ概ね受け入れることができ、漏斗本体の全体又は一部を曲げて適当な形状にすることで、収容対象物の保持安定性が向上し、収容対象物内から出る内容物の流路が確保され、作業性を向上させることができる。加えて、不使用時には折り畳んで収納することができる。
【００１２】
また、吸盤によって、漏斗本体を縦方向の面に貼着でき、当該貼着した箇所においては、漏斗が手放しで保持することが可能となる。縦方向の面とは、例えば、浴室あるいは浴槽の壁面をいい、以下同じ意味で用いる。
【００１３】
また、漏斗本体が、側壁の一部が側壁上端から下端まで略鉛直方向へ直線状に垂下しているものである場合は、漏斗本体によって、収容対象物内から出て流下する内容物が一の側壁に沿って下方へ真っ直ぐに誘導されてスムーズに移動するので、作業時間を短縮させることができる。
【００１４】
また、漏斗本体が、側壁の一部に、側壁上端から略鉛直方向へ一定の長さで直線状に垂下した部分と、垂下した部分の下端から正対する他の側部方向へ下り傾斜した部分と、下り傾斜した部分の下端から略鉛直方向へ一定の長さで直線状に垂下した部分とを含むものである場合には、漏斗本体の側壁の一部に含まれる側壁上端から略鉛直方向へ一定の長さで直線状に垂下した部分によって、収容対象物内から出て流下する内容物が引っかかりにくい内部空間が形成されるので、内容物を下方へスムーズに誘導することが可能となる。
【００１５】
漏斗本体の側壁の一部に含まれる垂下した部分の下端から正対する他の側部方向へ下り傾斜した部分（以下、同部分の説明においては「下り傾斜部分」という）によって、漏斗本体に収める収容対象物がそれ以上奥側に入り込まないように保持され、下り傾斜部分に流れた漏斗本体内にある内容物が下方へスムーズに誘導される。
【００１６】
漏斗本体の側壁の一部に含まれる下り傾斜した部分の下端から略鉛直方向へ一定の長さで直線状に垂下した部分によって、この部分に流れた漏斗本体内にある内容物が下方に誘導される。
【００１７】
漏斗本体の構成材が合成樹脂である場合には、漏斗本体の構成材が合成樹脂であることによって、水分又は油分に対する耐性が向上させることができ、製品寿命の向上が期待できる。
【００１８】
漏斗本体の一部または全部が透明または半透明である場合には、漏斗本体の一部または全部が透明または半透明であることによって、内容物の移動状況が視認できるので、作業の進捗状況が把握しやすくなる。
【００１９】
また、吸盤は、吸着面の反対側に位置する外面部かつ吸着面の口縁近傍に、紐状体取着部が形成されており、紐状体取着部に取着された紐状体を備える場合には、設置面へ貼り付いた吸盤の紐状体を軽く引くだけで、吸盤を設置面から簡単に外すことができる。詳しくは、設置面へ貼り付いた吸盤の紐状体を引くことによって、弱い力でも吸着面口縁が持ち上がり、吸着面口縁と設置面の間に生じた空隙から吸着面内部に空気が流入して吸引力が失われるので、吸盤を簡単に取ることができる。
【００２０】
また、漏斗本体の第１の開口部近傍に紐状体の通し孔が形成されており、通し孔を介して漏斗本体の吸盤が取着された側の反対側へ紐状体が出ている場合には、一部が吸盤の紐状体取着部に取着された紐状体を、通し孔を介して、漏斗本体の吸盤が取着された側の反対側の面に露出するように取り付けることができるので、設置時において漏斗本体の陰に吸盤が隠れた状態であっても、漏斗本体の外面に出ている紐状体を引くだけで吸盤の取り外しができる。
【００２１】
本発明は、上下が開口し、上下の開口部分の間の空間が連通し、該空間内に収容対象物を受ける部分を有する、柔軟素材で形成された漏斗本体と、該漏斗本体を設置する箇所への取付手段とを備える漏斗である。
【００２２】
ここで、漏斗本体は、上下の開口部分及びその間の空間が連通していることによって、上方の開口部分から収容対象物を受け入れることができ、下方の開口部分から漏斗本体内から出る内容物を漏斗本体外へ出すことができる。
【００２３】
また、漏斗本体は、上下の開口部分の間の空間内にある収容対象物を受ける部分によって、収容対象物を保持することができる。
【００２４】
また、漏斗本体が柔軟素材で形成されていることによって、収容対象物の形状や大きさが漏斗本体と極端に相違しなければ概ね受け入れることができ、漏斗本体の全体又は一部を曲げて適当な形状にすることで、収容対象物の保持安定性向上し、収容対象物内から出る内容物のスムーズな流路が確保され、作業性を向上させることができる。また、不使用時には折り畳んで収納することができる。
【００２５】
取付手段により、漏斗本体を設置予定箇所に取り付けでき、取り付けた箇所においては漏斗を手放しで保持することが可能となる。なお、取付手段としては、作業場所の壁面等の縦方向の面に取着する吸盤が挙げられるが、これに限定するものではなく、例えば、面ファスナー、マグネット等の公知手段であってもよいし、紐状体やフック等の吊下部材を採用することもできる。
【００２６】
本発明は、柔軟なシートであると共に、該シートの幅方向の略中央に位置する軸線部を挟んで線対称に形成された側方の縁部を有しており、該縁部の一部または全部に縦軸方向へ直角ないし鈍角に傾斜した部分が含まれる漏斗本体と、該漏斗本体に取り付ける吸盤とを備える組立式漏斗である。
【００２７】
ここで、組立式漏斗が組立式であることによって、キットとして組立前の状態で流通させることができ、また、ユーザーが自ら組み立てることができる。
【００２８】
また、漏斗本体が柔軟なシートであることによって、折り曲げ、かつ、側方の縁部を封止すれば、漏斗本体を組み立てることができる。また、漏斗本体を折り曲げて小さくすることができるので、例えば、包装された組立式漏斗キットを嵩張らないようにできる。更に、組立後の漏斗本体が柔軟性を有するので、収容対象物の形状や大きさが漏斗本体と極端に相違しなければ概ね受け入れることができ、漏斗本体の全体又は一部を曲げて適当な形状にすることで、収容対象物を保持する際の安定性が向上し、収容対象物内から出る内容物の流路が確保され、作業性を向上させることができる。
【００２９】
また、中央縦軸から折り曲げることによって、組立後の漏斗本体に上端から下端まで略鉛直方向へ直線状に垂下した側壁が構成され、収容対象物内から出て流下する内容物が同側壁に沿って下方へ真っ直ぐに誘導されてスムーズに移動し、作業時間を短縮させることができる。
【００３０】
また、側方の縁部の一部または全部にシート中央縦軸方向へ直角ないし鈍角に傾斜した部分を含まれていることによって、漏斗本体に収める収容対象物をそれ以上奥側に入り込まないように保持することができる。また、側方の縁部が鈍角に傾斜している場合は、組立後の漏斗本体に傾斜した側壁が構成され、この部分に流れた漏斗本体内にある内容物が下方へ誘導される。
【００３１】
また、吸盤によって、漏斗本体を縦方向の面に貼着でき、貼着した箇所においては組立式漏斗を手放しで保持することが可能となる。
【００３２】
漏斗本体が第１片と吸盤取付片部を有する第２片とが軸線部を介して連設された形状であり、前記第１片は、一端側が前記軸線部と直交して設けられた所要長さの第１の開口部形成辺部と、その一端側が該第１の開口部形成辺部の他端側と略直角に交わると共に、前記軸線部に沿った方向で且つ前記第１の開口部形成辺部と反対方向へ形成された所要長さの側壁形成辺部と、その一端側が該側壁形成辺部の他端側と交わり且つ交わる箇所の内角が直角ないし鈍角であると共に、前記軸線部の方向へ延びている所要長さの受け部形成辺部と、その一端側が該受け部形成辺部の他端側と交わると共に、前記軸線部に沿った方向で且つ前記第１の開口部形成辺部と反対方向へ形成された所要長さの注ぎ口形成辺部と、その一端側が該注ぎ口形成辺部の他端側と交わり且つ他端側が軸線部と交わる第２の開口部形成辺部とを有しており、前記第２片は、前記軸線部を挟んで前記第１片の側壁形成辺部と略線対称の位置に設けられた対称側壁形成辺部と、前記軸線部を挟んで前記第１片の受け部形成辺部と略線対称の位置に設けられた対称受け部形成辺部と、前記軸線部を挟んで前記第１片の注ぎ口形成辺部と略線対称の位置に設けられた対称注ぎ口形成辺部と、前記軸線部を挟んで前記第１片の第２の開口部形成辺部と略線対称の位置に設けられた対称第２の開口部形成辺部とを有していると共に、前記吸盤取付片部が、前記第２片における前記第１片に係る開口部形成辺部の延長線を挟んで前記側壁形成辺部と反対側の位置に連設された場合には、軸線部から折り曲げ、第１の開口部形成辺部及び第２の開口部形成辺部以外の各辺部を対となる辺部に当接させて封止することによって、漏斗本体を形成することができる。
【００３３】
また、第１の開口部形成辺部によって収容対象物を受け入れる第１の開口部を構成することができ、第２の開口部形成辺部及び対称第２の開口部形成辺部によって漏斗本体内にある内容物を漏斗本体外へ出す第２の開口部を構成することができる。そして、漏斗本体は、第１の開口部と第２の開口部及びその間の空間が連通していることによって、第１の開口部から収容対象物を受け入れることができ、第２の開口部から漏斗本体内にある内容物を漏斗本体外へ出すことができる。
【００３４】
また、漏斗本体を軸線部から折り曲げると、軸線部が上端から下端まで略鉛直方向へ直線状に垂下している側壁を構成することによって、収容対象物内から出て流下する内容物がこの側壁に沿って下方へ真っ直ぐに誘導されてスムーズに移動するので、作業時間を短縮させることができる。
【００３５】
また、側壁形成辺部と対称側壁形成辺部とを当接させてなる側部と、対向する位置に形成される軸線部に沿った直線状の側部とによって、収容対象物が引っかかりにくい内部空間が形成され、収容対象物を内部へスムーズに収めることができる。
【００３６】
また、受け部形成辺部と対称受け部形成辺部とを当接させてなる側部によって、漏斗本体内において収容対象物がそれ以上奥側に入り込まないように保持する部分を構成することができる。更に、側壁形成辺部と対称側壁形成辺部とを当接させてなる側部と交わる箇所の内角が鈍角である場合はこの部分に流れた漏斗本体内にある内容物が下方へスムーズに誘導される。
【００３７】
また、注ぎ口形成辺部と対称注ぎ口形成辺部とを当接させてなる側部と、対向する位置に形成される軸線部に沿った直線状の側部とによって、受け部形成辺部と対称受け部形成辺部とを当接させてなる側部の下端から略鉛直方向へ一定の長さで直線状に垂下した筒口部分が形成され、漏斗本体内にある内容物を漏斗本体外へ出すことができる。
【００３８】
本発明は、柔軟素材で形成され、上下が開口し、内部に収める容器の受け部を有する漏斗を、縦方向の面に吊り下げる工程と、下方に配置した容器の開口部へ、前記吊下した漏斗の下部を挿入する工程と、液体あるいは粉粒体が収められた容器を、該容器の開口部を下に向けて貼着した前記漏斗内へ収める工程とを備える液体あるいは粉粒体の移し替え方法である。
【００３９】
ここで、縦方向の面に漏斗を吊り下げ、下方に配置した容器の開口部へ漏斗の下部を挿入し、液体あるいは粉粒体が収められた容器を、容器の開口部を下に向けて漏斗内へ収めると、液体あるいは粉粒体が漏斗を介し、下方に位置する容器内に移動する。これにより、液体あるいは粉粒体を一の容器から他の容器へ移し替えることができる。
【００４０】
また、下方に配置した容器の開口部へ漏斗の下部を挿入する際には、漏斗の柔軟性を利用することによって、液体あるいは粉粒体の流下がスムーズに行われるように位置や角度の微調整が可能である。
【００４１】
また、漏斗が吸盤を備える場合は、吸盤によって、縦方向の面に貼り付けて漏斗本体を吊り下げることができ、この箇所においては漏斗を手放しで保持することができる。
【発明の効果】
【００４２】
本発明によれば、折り畳むことで不使用時の保管スペースが少なくて済み、ユーザーが作業に付き切りにならずに済み、かつ、作業性が良い、漏斗を提供できる。
本発明によれば、流通時及び不使用時に折り畳むことができ、ユーザーによる組立が可能で、ユーザーが作業に付き切りにならずに済み、かつ、作業性が良い、組立式漏斗を提供できる。
本発明によれば、作業性の良い液体あるいは粉粒体の移し替え方法を提供できる。
【図面の簡単な説明】
【００４３】
【図１】第１実施形態に係る漏斗の斜視図である。
【図２】本体部の展開図である。
【図３】図１に示す漏斗の組立手順を表した説明図である。
【図４】図１に示す漏斗の使用状態を示す正面視説明図である。
【図５】図１に示す漏斗の使用状態を示す側面視説明図である。
【図６】第２実施形態に係る漏斗の本体部（ａ）と、漏斗の斜視図（ｂ）である。
【図７】第３実施形態に係る漏斗の一部拡大図である。
【図８】図７に示す漏斗の着脱の動きを示す平面視説明図である。
【発明を実施するための形態】
【００４４】
図１乃至図６を参照して、本発明の実施の形態を更に詳細に説明する。なお、各図における符号は、煩雑さを軽減し理解を容易にする範囲内で付している。
【００４５】
〔第１実施形態〕 
本発明の一の実施の形態（第１実施形態）を、図１及び図２に基づいて説明する。
図１に示す漏斗１は、柔軟性を有する透明な合成樹脂シートで形成された本体部１０と、本体部上部に取着された吸盤３を備えている。以下、各部を説明する。
【００４６】
なお、吸盤３は「本体部を設置する箇所への取付手段」に相当する。また、後記する第１縁部（ａ）１２１および第１縁部（ｂ）１２２は、課題を解決するための手段に記載された「一対の第１縁部」に相当し、同様に、第２縁部（ａ）１３１および第２縁部（ｂ）１３２は「一対の第２縁部」に、第３縁部（ａ）１４１および第３縁部（ｂ）１４２は「一対の第３縁部」に、垂直部１１０は本体部の「一の側部」に、それぞれ相当する。
【００４７】
後記する詰め替え元容器４は、課題を解決するための手段に記載された「液体あるいは粉粒体が収められた容器」に相当し、同様に、シャンプー４２は「液体」に相当し、詰め替え先容器５は「下方に配置した容器」に相当し、容器保持部１３０は「該垂下した部分の下端から正対する他の側部方向へ下り傾斜した部分」、「収容対象物を受ける部分」及び「内部に収める容器の受け部」に相当する。
【００４８】
図１ないし図３に示す本体部１０は、図２に示す展開されたシート状の本体部１０を中央縦軸から２つ折りして各側縁部を当接させ（図３参照）、合わせた側縁部近傍に沿ってステープラーを用いて封止されている。符号１５０は、封止手段であるステープラー針を示している。中央縦軸の部分は、本体部１０の形成後に垂直部１１０となる。
【００４９】
更に詳しくは、本体部１０は、符号１０１で示す延長部を除き、胴部１２０側方の封止部を構成する第１縁部（ａ）１２１および第１縁部（ｂ）１２２と、容器保持部１３０下方の封止部を構成する第２縁部（ａ）１３１および第２縁部（ｂ）１３２と、導出部１４０側方の封止部を構成する第３縁部（ａ）１４１および第３縁部（ｂ）１４２とが、それぞれシートの中央縦軸を挟んで線対称に形成されており（図２参照）、中央縦軸から折り曲げて第１ないし第３の各縁部の（ａ）と（ｂ）を当接および封止している（図３参照）。
【００５０】
図１に示す組立後の本体部１０は、上部近傍が開口し（同部分を「開口部１０２」という。以下同じ）、本体部下端も開口した（同部分を「筒口１４３」という。以下同じ）、長さ方向に２つの側縁部を有する略平坦な中空体であり、長さ方向の中間部分に位置する胴部１２０と、胴部１２０下方に位置する容器保持部１３０と、本体部１０下部に形成された所要長さの導出部１４０とを有している。
【００５１】
開口部１０２上方には、延長部１０１が胴部の背面側から延設されており、延長部１０１上部側の左右角部近傍に取着孔１０３がそれぞれ形成されている。
本体部１０の内部空間は、胴部１２０と容器保持部１３０と導出部１４０を合わせたものであり、開口部１０２を介して同内部空間へ詰め替え元容器４が収まる。
【００５２】
本体部１０の一の側縁部である垂直部１１０は、胴部上端から導出部下端に至る長さ方向に垂直である。
【００５３】
胴部１２０は、長さ方向に略垂直の第１縁部（ａ）１２１および第１縁部（ｂ）１２２を当接させて封止した部分と、垂直部１１０とにより構成された箇所であって、同箇所は詰め替え元容器４を受け入れ可能な内径および幅に形成されている（図１参照）。
【００５４】
容器保持部１３０は、第２縁部（ａ）１３１および第２縁部（ｂ）１３２を当接させて封止した部分と、垂直部１１０とにより構成された箇所であって、封止した部分は、その上端が胴部１２０下端と、その下端が導出部１４０上端と、それぞれ連絡し、上端側から下端側へ下り傾斜している（換言すると、封止部分側から胴部が徐々に狭まっているような形状となる）。
【００５５】
導出部１４０は、先細りするように長さ方向に鋭角に下り傾斜した第３縁部（ａ）１４１および第３縁部（ｂ）１４２を当接させて封止した部分と、垂直部１１０とにより構成された箇所であって、封止した部分は、その上端が容器保持部１３０下端と連絡している。導出部１４０は先部側が固着されずに開口して筒口１４３を構成しており、同筒口１４３は、側面視で、垂直部１１０側が長く、第３縁部側が短い、傾斜した形状に形成されている。
【００５６】
吸盤３は、吸着面の反対側に取着用突起３１が形成されており、同取着用突起３１を取着孔１０３に嵌め入れることで本体部１０に取着している（図１及び図３参照）。
【００５７】
（作  用）
図１ないし図５を参照して、漏斗１の作用を説明する。本実施形態において、詰め替え元容器４はパウチであり、その内容物はシャンプー（符号４２）である。
【００５８】
使用者は、吸盤３を用いて漏斗１を作業場所に設置する。本実施の形態では、吸盤３を浴槽の壁面に貼着する。この時点（設置後、容器収納前）では、本体部１０は略平坦な形状であって、背面側が浴槽壁面６表面と沿った状態で設置される。
【００５９】
貼着した漏斗１の下方へ移し替え先である詰め替え先容器５を配置し、同容器の開口部へ漏斗１の導出部１４０を挿入する。このとき、図５に示すように、浴槽壁面６が下り傾斜しているために漏斗１の真下に詰め替え先容器５を配置できない場合であっても、柔軟性を有する導出部１４０により、当該部分（口先）を曲げ、少し離れて位置する詰め替え先容器５の開口部へ挿入することができる。また、仮に、詰め替え先容器５の開口部の径が導出部１４０外径よりも若干細めであっても、導出部１４０を曲げて変形させることで押し込むこともできるので、サイズの融通が利く。
【００６０】
詰め替え元容器４の上方角部を開口させ（当該部分を以下「開口部４１」という）、同容器の開口部４１を下に向け、かつ、同開口部４１を垂直部１１０側に向けて、開口部１０２を通じて貼着した漏斗１の本体部１０内へ収める。このように収納すると、詰め替え元容器４から出たシャンプー４２が、垂直部１１０に沿って下方へ真っ直ぐに誘導されるので（図４参照）、シャンプー４２がスムーズに移動し、作業時間の短縮に繋がる。
【００６１】
本体部１０は、胴部１２０についても柔軟であり、撓んで変形する。この性質から、胴部１２０が変形しつつ、その内面が詰め替え元容器４の外周面と当接し、略密着した状態で詰め替え元容器４を側方から保持する。
【００６２】
また、胴部１２０の柔軟性により、収容する容器の形状や大きさが本体部１０と比較して極端に相違しない限り受け入れることができる。また、胴部１２０は両側部（即ち、垂直部１１０と、第１縁部（ａ）１２１および第１縁部（ｂ）１２２）が長さ方向に垂直および略垂直であるため、内部空間に引っかかりが無く、詰め替え元容器４をスムーズに収めることができる。
【００６３】
容器保持部１３０は、胴部１２０に収まった詰め替え元容器４がそれ以上奥側に入り込まないように保持する。また、容器保持部１３０は、下り傾斜しているので当該部分に流れたシャンプー４２を下方に誘導する。同様に、下り傾斜した導出部１４０も、当該部分に流れたシャンプー４２を下方に誘導する。
【００６４】
当初、収容した同容器の一の肩部または角部近傍しか当接しない状態で保持され、容器保持部１３０と導出部１４０との間に所要の空間が形成される（図４参照）。
柔軟なパウチである詰め替え元容器４は、シャンプー４２の残量が減って形状が変形すると、重心が変わった詰め替え元容器４が傾いたりして安定保持が難しくなるが、漏斗１の場合、前記空間に形状変形後の詰め替え元容器４の開口部４１近傍が入り込むので、同容器の重心が変動しても安定して保持される。
【００６５】
本体部１０が全体として柔軟性を有し、詰め替え元容器４も柔軟性を有しているので、詰め替え元容器４を本体部１０ごと外から押圧することで、手を汚さずに詰め替え元容器４内及び本体部１０内に残存したシャンプー４２を最後まで絞り出すことができる。
【００６６】
本体部１０が透明であるので、シャンプー４２の流量（移動状況）が確認できるので、移し替え作業の進捗状況が一見して把握できる。
また、本体部１０が合成樹脂シートで構成されているので、水分又は油分が浸透せず、製品寿命が向上する。また、使用後の手入れ（洗浄、拭き取り等）が容易である。
【００６７】
漏斗１は、本体部１０が柔軟性を有するシートであるため、不使用時には折り畳んで収納することができ、不使用時の保管スペースが少なくて済む。
【００６８】
このように、漏斗１へ詰め替え元容器４をセットすると、詰め替え元容器４内のシャンプー４２が空になるまで、詰め替え先容器５内に移動し続けるので、ユーザーが作業に付き切りにならずに済み、効率の良い移し替え作業を行うことができる。移し替え作業を急ぐ場合は、使用者が詰め替え元容器４を本体部１０ごと外から押圧して流速を早めることもでき、この場も手を汚さずに作業できる。
【００６９】
なお、シート状の本体部と吸盤の組み合わせによる組立式漏斗としての販売も可能であり、この場合、ステープラーの利用等により簡単に組み立てられる漏斗が提供できる。
【００７０】
〔第２実施形態〕 
本発明の他の実施の形態（第２実施形態）を図６に基づいて説明する。 なお、本実施形態において説明する漏斗２は、漏斗１と構造が概ね共通しているため、重複する部分の説明を省略し、相違する部分についてのみ説明し、漏斗１と作用が共通しているため、説明を省略する。
【００７１】
図６に示す漏斗２は、柔軟性を有する透明な合成樹脂シートで形成された本体部２０と、本体部上部に取着された吸盤３を備えている。吸盤３は漏斗１のものと同様であるため、説明を省略する。
【００７２】
第１縁部（ａ）２２１および第１縁部（ｂ）２２２は、課題を解決するための手段に記載された「一対の第１縁部」に相当し、同様に、第２縁部（ａ）２３１および第２縁部（ｂ）２３２は「一対の第２縁部」に、第３縁部（ａ）２４１および第３縁部（ｂ）２４２は「一対の第３縁部」に、それぞれ相当する。
【００７３】
図６（ｂ）に示す本体部２０は、図６（ａ）に示す展開されたシート状の本体部２０を中央縦軸から２つ折りして各側縁部を当接させ、かつ、側縁部近傍に沿って複数形成された係合片２５１と挿入孔２５２とをそれぞれ対応する箇所で係合させ、封止している。中央縦軸の部分は、本体部２０の形成後に垂直部２１０となる。
【００７４】
各係合片２５１は、矢印状の形状であって、自由端である略三角形状の先部側よりも、基端が本体部２０に連絡している軸部の方が幅が狭く形成されている。係合片２５１は、本体部２０の側縁である第１縁部（ｂ）２２２と、第２縁部（ｂ）２３２と、第３縁部（ｂ）２４２近傍を、基端以外を前記形状に切り欠いて、所要数が形成されている（図６（ａ）参照）。
【００７５】
各挿入孔２５２は、係合片２５１の軸部の幅よりもやや長い筋状の孔であって、本体部２０の側縁である第１縁部（ａ）２２１と、第２縁部（ａ）２３１と、第３縁部（ａ）２４１に沿って所要数が形成されている（図６（ａ）参照）。
【００７６】
本体部２０は、符号２０１で示す延長部を除き、胴部２２０側方の封止部を構成する第１縁部（ａ）２２１および第１縁部（ｂ）２２２と、容器保持部２３０下方の封止部を構成する第２縁部（ａ）２３１および第２縁部（ｂ）２３２と、導出部２４０側方の封止部を構成する第３縁部（ａ）２４１および第３縁部（ｂ）２４２とが、それぞれシートの中央縦軸を挟んで線対称に形成されており（図６（ａ）参照）、中央縦軸から折り曲げて第１ないし第３の各縁部の（ａ）と（ｂ）を当接し、封止している（図６（ｂ）参照）。
【００７７】
封止にあたり、係合片２５１の先部側を撓ませて、挿入孔２５２へ嵌入させる。嵌入後、係合片２５１先部側は元の形状に回復し、軸部が挿入孔２５２に嵌まり抜けなくなる。同様の手順で、各係合片２５１を挿入孔２５２へ嵌入させる。前記の封止箇所は強固ではないが縁部分を閉じるには十分であり、また、シャンプー４２の備える表面張力と相まって、封止部分からの液漏れは防止される。
【００７８】
図６（ｂ）に示す形成された本体部２０は、上部近傍が開口（開口部２０２）し、本体部下端も開口（筒口２４３）した、長さ方向に２つ側縁部を有する中空体であり、胴部から導出部に至る一の側縁部であり、長さ方向に垂直である垂直部２１０と、他の側縁部であり、長さ方向の中間部分に位置する胴部２２０と、胴部下方に位置する容器保持部２３０と、本体部下部に形成された所要長さの導出部２４０とを有している。
【００７９】
開口部２０２上方には、延長部２０１が胴部の背面側から延設されており、延長部２０１上部側の左右角部近傍に吸盤３の取着孔２０３がそれぞれ形成されている。
本体部２０の内部空間は、胴部２２０と容器保持部２３０と導出部２４０を合わせたものであり、開口部２０２を介して同内部空間へ詰め替え元容器４が収まる。
【００８０】
なお、胴部２２０は漏斗１の胴部１２０と、容器保持部２３０は漏斗１の容器保持部１３０と、導出部２４０は漏斗１の導出部１４０と、それぞれ同様の構造であるため、説明を省略する。
【００８１】
〔第３実施形態〕
本発明の他の実施の形態（第３実施形態）を図７及び図８に基づいて説明する。なお、本実施形態において説明する漏斗１ａは、第１実施形態に係る漏斗１と構造が概ね共通しているため、共通する構造部には同じ符号を付し、重複する構造及び作用の説明を省略し、相違点についてのみ説明する。
【００８２】
漏斗１ａは、延長部１０１の各取着孔１０３の間に後記する紐状体３３の通し孔１０４が所要間隔を開けて形成された本体部１０ａと、外面部の吸着面口縁近傍に形成された紐状体取着部３２を含む吸盤３ａと、紐状体３３を備える（図７参照）。なお、「外面部」は、「吸着面の反対側」とも換言できる。
【００８３】
本体部１０ａは、通し孔１０４が形成されていること以外、本体部１０と同様の構成であるため、他の部分の説明を省略する。また、吸盤３ａは、紐状体取着部３２が形成されていること以外、吸盤３と同様の構成であるため、他の部分の説明及び図示を省略する。
【００８４】
通し孔１０４は、各取着孔１０３間を結ぶ延長線上に合計２つ形成されている。なお、本実施の形態においては、各通し孔１０４の間隔は約６０ｍｍであるが、この数値に限定するものではなく、適宜変更することができる。また、本実施の形態においては、通し孔は２つであるが、この数に限定するものではなく、例えば、吸盤の数や形状に応じた数にする等、適宜変更することができる。
【００８５】
紐状体取着部３２は、吸盤３ａの外面部に突設された切片状の部位であり、基端側が本体部１０ａに固着され、先端近傍に貫通孔３２１が形成されている。紐状体取着部３２は、紐状体３３を取着し、かつ、吸盤３ａを設置面から取り外しやすくするための部位である。
【００８６】
紐状体３３は、各吸盤３ａの間に掛け渡された所要長さの紐であり、本体部１０ａの各糸通し孔１０４及び各紐状体取着部３２の各貫通孔３２１に通され、かつ、環状に形成されている。なお、本実施の形態では紐状体３３は環状であるが、これに限定するものではなく、例えば、紐状体は１本の紐であって、その両端が吸盤の紐状体取着部へ外れないか又は外れにくいように取着可能なもの等であってもよい。
【００８７】
本体部１０ａにおいて開口部１０２が形成された側と反対側の外表面に各吸盤３ａ取着されており、各吸盤３ａの紐状体取着部３２に形成された貫通孔３２１には紐状体３３が取り付けられている。なお、以下の段落において、説明の便宜上、本体部１０ａのうち、吸盤３が取着された側を「背面側」と呼び、開口部１０２が形成された側を「正面側」と呼ぶ。
紐状体３３における各紐状体取着部３２の間に位置する部分は、通し孔１０４を通じて、本体部１０ａの背面側から正面側に出るように構成されている。
【００８８】
（作  用）
使用者は、吸盤３ａを用いて、漏斗１ａを浴槽壁面６に設置し、対象物の移し替え作業を行う。作業完了後、浴槽壁面６へ貼り付いた吸盤３ａの紐状体３３を軽く引くだけで、吸盤３ａを浴槽壁面６から簡単に外すことができる。
【００８９】
更に詳しくは、浴槽壁面６へ貼り付いた吸盤３ａに取着された紐状体３３を引くことによって、弱い力でも吸着面口縁が持ち上がり（図８の一点鎖線を参照）、吸着面口縁と設置面の間に生じた空隙から吸着面内部に空気が流入して吸引力が失われるので、吸盤３ａを簡単に取り外すことができる。
【００９０】
なお、吸盤３ａは吸着方向の真逆側に吸着面口縁を持ち上げると少ない力で外すことができるが、前に述べた通り、漏斗１ａは、紐状体３３の中間部分が本体部１０ａの通し孔１０４を介して漏斗３ａの正面側に出ている構成であるため、漏斗１ａの正面側に出ているこの部分を引くと、弱い力でも瞬時に吸盤３ａが外れる。
【００９１】
また、このような理由から、漏斗１ａの設置時に、各吸盤３ａの紐状体取着部３２がそれぞれ直近の通し孔１０４方向へ向くように貼着することがより好ましい（図７及び図８参照）。更に、弱い力で吸盤３ａが外れるので、吸盤３ａを外す際に最も力が掛かる箇所である紐状体取着部３２に加わる負担が軽減され、紐状体３３又は紐状体取着部３２が千切れる等の損傷が起きにくくなる。
【００９２】
本実施の形態では、本体部は、柔軟性を有する透明な合成樹脂シートにより形成されているが、これに限定するものではなく、例えば、半透明、不透明であってもよいし、表面にキャラクターや文字、図形を印刷等してもよい。更に、本体部は、柔軟性を有し、収容する容器の重量で破損しない程度の強度を有するものであれば、紙や布等の他の公知素材で形成してもよく、液体あるいは粉粒体をスムーズに移動させるべく、少なくとも本体部内側が滑らかに（液体を対象とする場合は防水または撥水）加工されていることがより好ましい。
【００９３】
本実施の形態では、本体部を構成する合成樹脂シートは、０．６ｍｍ厚であるが、これに限定するものではなく、例えば、０．４ｍｍ以上０．９ｍｍ以下の厚みであることが好ましく、０．５ｍｍ以上０．８ｍｍ以下の厚みであることが更に好ましい。０．３ｍｍ以下の場合は薄過ぎて、容器を挿入する開口部付近が折れてしまい、詰め替え時に中身がこぼれる可能性があり、導出部も柔らか過ぎて曲がり過ぎる等、使用者の意図に反する動作が起きることがあるためである。一方、１．０ｍｍ以上の場合は厚過ぎて硬いため、柔軟な変形ができず、容器を漏斗上方から挿入しにくくなり、導出部も硬過ぎて曲がらなくなる可能性があるためである。
【００９４】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００９５】
１、１ａ    漏斗
１０、１０ａ    本体部
１０１    延長部
１０２    開口部
１０３    取着孔
１０４    通し孔
１１０    垂直部
１２０    胴部
１２１    第１縁部（ａ）
１２２    第１縁部（ｂ）
１３０    容器保持部
１３１    第２縁部（ａ）
１３２    第２縁部（ｂ）
１４０    導出部
１４１    第３縁部（ａ）
１４２    第３縁部（ｂ）
１４３    筒口
１５０    ステープラー針
２    漏斗
２０    本体部
２０１    延長部
２０２    開口部
２０３    取着孔
２１０    垂直部
２２０    胴部
２２１    第１縁部（ａ）
２２２    第１縁部（ｂ）
２３０    容器保持部
２３１    第２縁部（ａ）
２３２    第２縁部（ｂ）
２４０    導出部
２４１    第３縁部（ａ）
２４２    第３縁部（ｂ）
２４３    筒口
２５１    係合片
２５２    挿入孔
３、３ａ    吸盤
３１    取着用突起
３２    紐状体取着部
３２１    貫通孔
３３    紐状体
４    詰め替え元容器
４１    開口部
４２    シャンプー
５    詰め替え先容器
６    浴槽壁面
【図１】
2015058934.tif 000003
【図２】
2015058934.tif 000004
【図３】
2015058934.tif 000005
【図４】
2015058934.tif 000006
【図５】
2015058934.tif 000007
【図６】
2015058934.tif 000008
【図７】
2015058934.tif 000009
【図８】
2015058934.tif 000010